(57)【特許請求の範囲】
【請求項１】
座と背もたれとを備えており、背もたれの左右両側部の下部に、正面視で左右外側又は前後外側に張り出すことによって上端が肩部になっている筒部を設けており、前記筒部に肘当て又は小テーブルを取付けているか取付けられるようになっている、
という椅子であって、
前記座は、パイプから成るフレーム構造の脚体によって支持されており、この脚体における後部でかつ左右両側部には、座よりも上方に突出した支柱部が設けられている一方、
前記背もたれは合成樹脂製の背もたれ板を備えており、この背もたれ板の左右両側端の下部に前記筒部が上下に開口した状態で一体に形成されていてこの筒部が前記脚体の支柱部に嵌まっており、かつ、前記脚体の支柱部に、前記肘当て又は小テーブルを取り付けるジョイントが挿入可能になっている、
椅子。
【請求項２】
座と背もたれとを備えており、背もたれの左右両側部の下部に、正面視で左右外向きに張り出すことによって上端が肩部になっている筒部を設けており、前記筒部に肘当て又は小テーブルが取付けられるようになっている、
という椅子であって、
前記座は、パイプから成るフレーム構造の脚体によって支持されており、この脚体における後部でかつ左右両側部には、座よりも上方に突出した支柱部が設けられている一方、
前記背もたれは合成樹脂製の背もたれ板を備えており、この背もたれ板の左右両側端の下部に前記筒部が一体に形成されており、前記筒部は、肩部を開口可能に閉塞した状態に形成されていて前記脚体の支柱部に嵌まっており、かつ、前記筒部の上端を開口させると前記肘当て又は小テーブルを取り付けるジョイントが脚体の支柱部に挿入可能になっている、
椅子。
【請求項３】
座と背もたれとを備えており、背もたれの左右両側部の下部に、正面視で左右外側又は前後外側に張り出すことによって上端が肩部になっている筒部を設けており、前記筒部に肘当て又は小テーブルを取付けているか取付けられるようになっている、
という椅子であって、
前記座は、パイプから成るフレーム構造の脚体によって支持されており、この脚体における後部でかつ左右両側部には、座よりも上方に突出した支柱部が設けられている一方、
前記背もたれは合成樹脂製の背もたれ板を備えており、この背もたれ板の左右両側端の下部に、肩部を開口させるか又は開口可能に閉塞した状態で前記筒部が一体に形成されており、前記筒部は、当該筒部に挿入される小径部と前記脚体の支柱部に嵌まる大径部とを有する背継手によって客体の支柱部に取付けられており、かつ、前記肘当て又は小テーブルを取り付けるジョイントが前記背継手の小径部に挿入可能になっている、
椅子。
【発明の詳細な説明】
【０００１】
【発明の属する技術分野】
本発明は、フレーム構造等の椅子に関するものである。
【０００２】
【従来の技術】
脚をフレーム構造とした椅子は、その素材として金属パイプ（鋼管やアルミ管）を素材としていることから一般にパイプ椅子と呼ばれており、折り畳み式椅子やスタッキング式椅子に多用されている。
【０００３】
この種のパイプ椅子において、背もたれは合成樹脂製であることが多く、取付け手段としては、背もたれ板のうち左右両端の下部に下向き開口の筒部を一体に設け、この筒部を脚の左右両端部に立設した支柱部に差し込み固定している。
【０００４】
この場合、筒部は、その左右外側面が背もたれ板の左右側面と滑らかに連続するように形成されている。換言すると、筒部ができるだけ目立たないように、筒部の上面に背もたれ板の板部が位置するように形成されている。
【０００５】
【発明が解決しようとする課題】
ところで、パイプ椅子においても肘当てを取り付けることがある。この点、背もたれ板を合成樹脂製としているパイプ椅子の場合は、脚の左右側部から肘支柱を立設してこれに肘当てを取り付けるようにしており、このため構造が複雑になるという問題や、肘当てを取り付けるとスタッキングできなくなるといった問題があった。
【０００６】
また、パイプ椅子は会議場などで大量に使用されることが多いため、ユーザーからのコストダウンの要請が強いという性格があるが、従来は、肘当て付きのものと肘当て無しのものとを別々のタイプとして製造しなければならないため、コストが嵩むという点も問題であった。
【０００７】
本発明は、このような現状を改善することを課題とするものである。
【０００８】
【課題を解決するための手段】
請求項１の発明に係る椅子は、座と背もたれとを備えており、背もたれの左右両側部の下部に、正面視で左右外側又は前後外側に張り出すことによって上端が肩部になっている筒部を設けており、前記筒部に肘当て又は小テーブルを取付けているか取付けられるようになっている、という前提の構成において、
前記座は、パイプから成るフレーム構造の脚体によって支持されており、この脚体における後部でかつ左右両側部には、座よりも上方に突出した支柱部が設けられている一方、前記背もたれは合成樹脂製の背もたれ板を備えており、この背もたれ板の左右両側端の下部に前記筒部が上下に開口した状態で一体に形成されていてこの筒部が前記脚体の支柱部に嵌まっており、かつ、前記脚体の支柱部に、前記肘当て又は小テーブルを取り付けるジョイントが挿入可能になっている。
【０００９】
請求項２の発明では、座と背もたれとを備えており、背もたれの左右両側部の下部に、正面視で左右外向きに張り出すことによって上端が肩部になっている筒部を設けており、前記筒部に肘当て又は小テーブルが取付けられるようになっている、という椅子において、
前記座は、パイプから成るフレーム構造の脚体によって支持されており、この脚体における後部でかつ左右両側部には、座よりも上方に突出した支柱部が設けられている一方、前記背もたれは合成樹脂製の背もたれ板を備えており、この背もたれ板の左右両側端の下部に前記筒部が一体に形成されており、前記筒部は、肩部を開口可能に閉塞した状態に形成されていて前記脚体の支柱部に嵌まっており、かつ、前記筒部の上端を開口させると前記肘当て又は小テーブルを取り付けるジョイントが脚体の支柱部に挿入可能になっている。
【００１０】
請求項３の発明は、請求項１と同じ前提の構成において、前記座は、パイプから成るフレーム構造の脚体によって支持されており、この脚体における後部でかつ左右両側部には、座よりも上方に突出した支柱部が設けられている一方、前記背もたれは合成樹脂製の背もたれ板を備えており、この背もたれ板の左右両側端の下部に、肩部を開口させるか又は開口可能に閉塞した状態で前記筒部が一体に形成されており、前記筒部は、当該筒部に挿入される小径部と前記脚体の支柱部に嵌まる大径部とを有する背継手によって客体の支柱部に取付けられており、かつ、前記肘当て又は小テーブルを取り付けるジョイントが前記背継手の小径部に挿入可能になっている。
【００１１】
【００１２】
【発明の作用・効果】
本願発明では、背もたれに設けた筒部を利用して肘当て又は筆記用小テーブルを取り付けることができるため、肘当て又は筆記用小テーブルの取り付けを簡単に行うことができる。
【００１３】
また、肘当て又は小テーブルが取り付いていない状態を基本構成として、そのままで使用したり、必要に応じて肘当て等を追加して取付ければ足りるため、肘支柱やその支持部材などの特別の構成を必要とせず、その結果、コストを抑制することが可能となる。
【００１４】
そして、脚の支柱部にジョイントを差し込むことにより、ジョイントの取り付け強度を高めることができる。すなわち、脚の支柱部を肘当て又は小テーブルの取り付けに利用して、肘当て又は小テーブルの支持強度を高めることができる。
【００１５】
本発明において肘当てや小テーブルは必要に応じて筒部に取り付ければ良いが、請求項２のように、筒部の上面を閉塞した状態に製造しておくと、肘当て又は小テーブルを取り付けない状態での美観悪化を防止できる利点である。この場合、筒部の肩部は簡単に開口できるように強度的に弱い状態に形成しておくのが好ましい。
【００１６】
他方、請求項１のように、筒部を予め上向きに開口した状態に形成しておくと、肘当て又は小テーブルの取り付け作業を極く簡単に行える利点である。このように予め開口した状態に形成しておく場合は、肘当て又は小テーブルを取り付けない状態での美観確保のため、筒部の上面にはキャップを取り付けておくのが好ましい。
請求項３の構成を採用すると、背継手を使用したことにより、パイプの直径が異なる２種類の椅子に１種類の背もたれ板を共用することができる。
【００１７】
【発明の実施形態】
次に、本発明の実施形態を図面に基づいて説明する。
【００１８】
(1).第１実施形態（図１〜図５）
図１〜図５では第１実施形態を示している。まず、図１〜図３に基づいて概要を説明する。
【００１９】
(1)-1.概要
図１は椅子の正面図、図２は右側面図、図３は水平スタックした状態での側面図である。これらの図に示すように、椅子は、金属パイプ製の左右の脚１と、座２と、背もたれ３とを備えている。
【００２０】
左右の脚１は、「入」字状に交差した前足４と後足５とを備えており、両者は脚継手６で接続されている。両足４，５の下端にはキャスター７を取り付けている。また、左右の前足４はその上部において横杆８で連結されている。横杆８は前足４に溶接されている。
【００２１】
座２は、金属パイプで四角形に形成した受け枠（図示せず）と、受け枠に固定した合成樹脂製の座板９とを備えており、座板９の上面にクッションを張っている。受け枠の後部は、前足４の上端部に設けた軸受け１０にピンで連結されている。このため、図１に一点鎖線で示すように、座２は軸受け１０を中心にして跳ね上げ回動させることができる（すなわち、折り畳むことができる）。
【００２２】
前足４は正面視でほぼ鉛直状に延びている。他方、後足５は、正面視で後足５よりもやや外側に位置し、かつ、下方に行くほど外側に広がるように緩い角度で傾斜し、左右の後足５は正面視ハ字状になっている。
【００２３】
そして、椅子の正面視で後足５が前足４よりも外側に位置している（或いは前足４が後足５よりも内側に位置している）ため、図３に示すように、座２を撥ね上げることにより、多数の椅子を、脚１と脚１とを前後方向（水平方向）に嵌め込んだ状態でスタッキングする（重ねる）ことができる。
【００２４】
座２の受け枠には、正面視で上向き凹状に曲がった支持杆１１を溶接によって固定している。この支持杆１１は、合成樹脂製の受け具１２を介して前記横杆８で支持されるようになっている。
【００２５】
背もたれ３は、脚１に固定された背もたれ板１４と、背もたれ板１４の前面に配置されたクッションユニット１５とから成っている。背もたれ板１４は合成樹脂製であり、左右両側部の下端には下向き開口の筒部１６を形成し、この筒部１６を後足５に固定している。筒部１６は左右側方にはみ出た状態になっており、このため、筒部１６の上端は肩部１７となっている。
【００２６】
背もたれ板１４には、横長の長穴１８の群が形成されている。他方、クッションユニット１５は、合成樹脂製の基板１９とその前面に張ったクッション２０とを備えており、基板１９の背面に設けた複数の係合爪（図示せず）を長穴１８に嵌め込み係合させることにより、背もたれ板１４に固定されている。
【００２７】
なお、クッションユニット１５の取り付けは任意であり、クッションユニット１５を取り付けることなく使用することも可能である。
【００２８】
(1)-2.肘当ての取り付け
図１に示すように、背もたれ板１４の筒部１６には、ジョイント２１を介して肘当て２２を取り付けることができる。この点を図４〜図５に基づいて説明する。
【００２９】
図４のうち（Ａ）は肘当て２２を取り付けた状態での縦断側面図、（Ｂ）は椅子の正面視で右側（着座した人の左側）に配置される肘当て２２の平面図、図５は取り付けの手順を示す図である。
【００３０】
後足５の上端は脚継手６よりも上方に延びた支柱部５ａになっており、この支柱部５ａに背もたれ板１４の筒部１６が嵌まっている。筒部１６の上端である肩部１７には穴２３が空いており、この穴２３から、ジョイント２１が支柱部５ａの内部に差し込まれている。ジョイント２１と筒部１６と支柱部５ａとはねじ（ビス）２４で一体に固定されている。
【００３１】
ジョイント２１は金属製であり、これが金属製の支柱部２１に嵌まっているため、すなわち、実質的にはジョイント２１は支柱部５ａに固定されているため、高い取り付け強度を確保することができる。
【００３２】
ジョイント２１の上部は肘当て２２の基端部２２ａに下方から貫通しており、両者はねじ（ビス）２５で固定されている。
【００３３】
ジョイント２１のうち肘当て２２に嵌まっている上部は大径部２１ａになっており、大径部２１ａの下端面（段差面）が肩部１７に当たるように設定されている。このため、肘当て２２における基端部２１ａの下面と背もたれ板１４の肩部１７との間に隙間が生じても、肘当て２２を安定した状態に支持できる。
【００３４】
肘当て２２は合成樹脂製であり、人の肘が載る部分は基端部２２ａから外側にはみ出た状態になっている。これは、肘当て２２を座２の外側に位置させることにより、圧迫感なく使用できるようにするためである。
【００３５】
なお、肘当て２２は合成樹脂の単一構造に形成することには限らず、上面にクッションを張るなどしても良い。また、ジョイント２１を肘当て２２にインサート成形法によって一体に固定してもよい。また、強度が許せば、肘当て２２とジョイント２１とを単一構造として一体成形することも可能である（この場合は、肘当て２２からジョイント足が下向きに延びる構造になる）。
【００３６】
図５（Ａ）に示すように、背もたれ板１４の肩部１７は塞がれた状態で製造されるが、肩部１７には、簡単に穴を空けることができるようにする弱化手段の一例として、筒部１６の内径と同径の薄肉部１７ａを形成している。このため、肩部１７には、ハンマーで直接に叩いたり、丸棒２６を当てて叩いたりすることにより、筒部１６の内径と同径の穴２３を空けることができる。
【００３７】
このようにして、肩部１７にワンタッチ的に穴２３を空けることにより、肘当て２２を取り付けることができる。いうまでもないが、肘当て２２を取り付けない場合は、肩部１７に穴２３を空けることはない。
【００３８】
(2).第２実施形態（図６〜図７）
図６〜図７では、第２実施形態として、本発明を適用した他の形態の椅子を示している。この椅子において、脚１は側面視で略上向き開口コ字状に形成されており、左右の脚１の前部上端は前部横杆３３で一体に連結されている。
【００３９】
つまり、１本のパイプを曲げ加工することによって左右の脚１を形成している。そして、左右脚１の後部に、座２を支持する後部横杆２９を溶接によって接続している。左右脚１には前後一対の接地体３０を装着している。本実施形態では、支柱部は符号１ａで示している。
【００４０】
左右脚１の後部は正面視で略ハ字をなすように緩く傾斜しており、このため、図１１に示すように、多数の椅子を、上段の椅子を下段の椅子よりも手前にずらした状態で多段に積み重ねることができる。肘当て２２の取り付け構造は第１実施形態と同じである。
【００４１】
(3).第３実施形態（図８〜図９）
ところで、第１実施形態で示した水平スタック式の椅子と第２実施形態で示した垂直スタック式の椅子とで、脚１に使用するパイプの直径が異なることがある。この場合、垂直スタック式の椅子は、頑丈な構造になるため小径のパイプでも強度を確保できる（軽量化のため、パイプは可能な限り小径であるのが好ましい）。
【００４２】
具体的には、一般に市販されている椅子の場合、第１実施形態の椅子における脚１には例えば外径１９ｍｍ程度のパイプを使用する必要があるが、第２実施形態の椅子における脚１は外径１６ｍｍ程度のパイプでよい。
【００４３】
このように椅子の種類によって使用するパイプの直径が異なる場合、支柱部５ａ，１ａに直接に背もたれ板１４を取り付けると、必然的に、背もたれ板１４における筒部１６の内径も異なることになる。他方、椅子のコストの面からは、背もたれ板１４はどちらのタイプの椅子にも使用できるように共通化できるのが好ましい。
【００４４】
そこで、図８〜図９に示す第３実施形態では、背もたれ板１４の筒部１６は大径のパイプを使用する水平スタック式の椅子を基準として設定しておき、小径のパイプを使用する垂直スタック式の椅子については、支柱部１に背継手３２を接続することによって対応している。
【００４５】
すなわち、背継手３２は、支柱部１ａに外側から嵌まる大径部３２ａと、背もたれ板１４の筒部１６に差し込まれる小径部３２ａとから成っており、この背継手３２を使用することにより、パイプの直径が異なる２種類の椅子に１種類の背もたれ板１４を共用することができる。
【００４６】
本実施形態では、背継手３２の大径部３２ａは支柱部１ａに溶接で固着しているが、その長さを長くしてねじ止めしても良い。背継手３２における小径部３２ｂの内径は、ジョイント２１が嵌まる直径（すなわち、大径のパイプの内径）に設定している。
【００４７】
【００４８】
(4).第４実施形態（図10）
図１０では第４実施形態を示している。この実施形態では、背もたれ板１４の肩部１７に予め穴を空けた状態に製造して、肘当て２２を取り付けない使用態様（販売態様）では、キャップ３３で穴を塞ぐようにしている。
【００４９】
(5).その他
本発明は、上記の実施形態の他にも様々の態様に具体化できる。例えば、背もたれ板の筒部の利用方法は肘当ての取付けには限らず、筆記用の小テーブルの取り付けに使用したり、コップや飲料缶を載せる穴付きテーブルの取り付けなどにも使用できる。
【００５０】
また、本願発明はパイプ椅子のみでなく、回転椅子等の他の形態の椅子にも適用できる。また、背もたれ板と座用インナーシェルとを一体成形したタイプの椅子に適用することも可能である。
【００５１】
背もたれ板の筒部は、必ずしも左右外側にはみ出す必要はなく、後ろ側又は前側にはみ出すことも可能である（この場合は、背もたれ板の左右側面と筒部の外周面とを連続的に延びるように揃えることができる）。
【００５２】
背もたれ板を金属板で形成して、その左右両側部に、金属製等の筒部を設けることも可能である。
【図面の簡単な説明】
【図１】第１実施形態に掛かる椅子の正面図である。
【図２】椅子の側面図である。
【図３】椅子を水平方向にスタッキングした状態での側面図である。
【図４】 (A)は肘当てを取り付けた状態の縦断側面図、 (B)は肘当ての平面図である。
【図５】肘当ての取り付け手順を示す図である。
【図６】第２実施形態に係る椅子の正面図である。
【図７】第２実施形態の椅子を垂直スタックした状態の側面図である。
【図８】第３実施形態の分離側面図である。
【図９】第３実施形態の要部の縦断側面図である。
【図10】第４実施形態の要部側面図である。
【符号の説明】
１  脚
１ａ，５ａ  支柱部
２  座
３  背もたれ
１４  背もたれ板
１５  クッションユニット
１６  背もたれ板の筒部
１７  肩部
２１  ジョイント
２２  肘当て
３２  背継手
【図１】
0004036432.tif 000002
【図２】
0004036432.tif 000003
【図３】
0004036432.tif 000004
【図４】
0004036432.tif 000005
【図５】
0004036432.tif 000006
【図６】
0004036432.tif 000007
【図７】
0004036432.tif 000008
【図８】
0004036432.tif 000009
【図９】
0004036432.tif 000010
【図１０】
0004036432.tif 000011